(57)【要約】      （修正有）【課題】複数の記録媒体を組み合わせた情報記録再生装置で、容量コストを最小限化しつつ、チャプタ再生までの待ち時間を低減する。【解決手段】転送速度が高い高速記録媒体と転送速度が低い低速記録媒体を組み合わせた複合記録媒体を備え、ひとつのコンテンツを前記複合記録媒体に記録する際に、前記コンテンツにチャプタ情報が付与されている場合は、チャプタが付与された位置から一定の長さの領域を、前記高速記録媒体に格納する情報記録再生装置であって、新規チャプタがさらに追加される場合は、前記低速記録媒体から前記高速記録媒体へ、一定の長さの領域を移動させる。【選択図】図１
2011138574.tif 000002
【特許請求の範囲】
【請求項１】
記録媒体に情報を記録または再生する情報記録再生装置であって、
転送速度が高い高速記録媒体と転送速度が低い低速記録媒体を組み合わせた複合記録媒体を備え、
映像音声コンテンツを前記複合記録媒体に記録する際に、前記映像音声コンテンツの一部を前記高速記録媒体に格納し、それ以外の部分を前記低速記録媒体に格納することを特徴とする情報記録再生装置。
【請求項２】
請求項１に記載の情報記録再生装置であって、
前記映像音声コンテンツにチャプタ情報が付与されている場合は、チャプタが付与された位置から一定の長さの領域を、前記高速記録媒体に格納することを特徴とする情報記録再生装置。
【請求項３】
請求項１に記載の情報記録再生装置であって、
前記映像音声コンテンツとともに前記映像音声コンテンツの特徴点を記録する場合は、特徴点から一定の長さの領域を、前記高速記録媒体に格納することを特徴とする情報記録再生装置。
【請求項４】
請求項３に記載の情報記録再生装置であって、
前記特徴点が、前記映像音声コンテンツ中の顔検出位置であることを特徴とする情報記録再生装置。
【請求項５】
請求項３に記載の情報記録再生装置であって、
前記特徴点が、前記映像音声コンテンツ中のダイジェスト再生用の位置であることを特徴とする情報記録再生装置。
【請求項６】
請求項３に記載の情報記録再生装置であって、
前記特徴点が、前記映像音声コンテンツの再生リジューム位置であることを特徴とする情報記録再生装置。
【請求項７】
請求項３に記載の情報記録再生装置であって、
前記特徴点が、前記映像音声コンテンツ中のＣＭ終了位置であることを特徴とする情報記録再生装置。
【請求項８】
請求項２に記載の情報記録再生装置であって、
前記チャプタが付与された位置から一定の長さが、前記低速記録媒体のアクセス待ち時間に相当する長さ以上であることを特徴とする情報記録再生装置。
【請求項９】
請求項３から請求項５いずれか一項に記載の情報記録再生装置であって、
前記特徴点から一定の長さが、前記低速記録媒体のアクセス待ち時間に相当する長さ以上であることを特徴とする情報記録再生装置。
【請求項１０】
請求項８から請求項９いずれか一項に記載の情報記録再生装置であって、
前記低速記録媒体のアクセス待ち時間が、前記低速記録媒体のスピンアップ時間とフルストロークシーク時間の和であることを特徴とする情報記録再生装置。
【請求項１１】
請求項１から請求項１０いずれか一項に記載の情報記録再生装置であって、
前記高速記録媒体に格納された映像音声コンテンツの一部と、前記低速記録媒体に格納された映像音声コンテンツの一部が、ひとつのファイルを構成することを特徴とする情報記録再生装置。
【請求項１２】
請求項１から請求項１０いずれか一項に記載の情報記録再生装置であって、
前記高速記録媒体に格納された映像音声コンテンツの一部がファイルＡを構成し、前記低速記録媒体に格納された映像音声コンテンツの一部がファイルＢを構成し、前記ファイルＡと前記ファイルＢが異なるファイルであり、ファイルＡとファイルＢの再生順序を規定するプレイリストファイルを持つことを特徴とする情報記録再生装置。
【請求項１３】
請求項２または請求項８いずれか一項に記載の情報記録再生装置であって、
前記チャプタが削除されるときに、前記チャプタが付与された位置から一定の長さの領域を、前記高速記録媒体から前記低速記録媒体に移動することを特徴とする情報記録再生装置。
【請求項１４】
記録媒体に情報を記録または前記記録媒体から前記情報を再生する情報記録再生装置であって、
転送速度が高い高速記録媒体と転送速度が低い低速記録媒体を有し、
映像音声コンテンツを前記記録媒体に記録する際に、前記映像音声コンテンツの一部を前記高速記録媒体に格納し、それ以外の部分を前記低速記録媒体に格納し、
前記映像音声コンテンツに新規チャプタが追加される場合、前記新規チャプタが付与された位置から一定の長さの領域のうち、前記低速記録媒体に含まれる領域を、前記高速記録媒体に移動することを特徴とする情報記録再生装置。
【請求項１５】
記録媒体に情報を記録または前記記録媒体から前記情報を再生する情報記録再生装置であって、
転送速度が高い高速記録媒体と転送速度が低い低速記録媒体を有し、
映像音声コンテンツを前記記録媒体に記録する際に、前記映像音声コンテンツの一部を前記高速記録媒体に格納し、それ以外の部分を前記低速記録媒体に格納し、
既存チャプタが削除されるときに、前記既存チャプタが付与された位置から一定の長さの領域を、前記低速記録媒体に移動することを特徴とする情報記録再生装置。
【請求項１６】
請求項１５に記載の情報記録再生装置であって、
既存チャプタが削除されるときに、前記既存チャプタが付与された位置から一定の長さの領域の中に、他の既存チャプタが含まれる場合は、前記既存チャプタが付与された位置から前記他の既存チャプタより前の領域を、前記低速記録媒体に移動することを特徴とする情報記録再生装置。
【請求項１７】
記録媒体に情報を記録または前記記録媒体から前記情報を再生する情報記録再生装置であって、
転送速度が高い高速記録媒体と転送速度が低い低速記録媒体を有し、
映像音声コンテンツを前記記録媒体に記録する際に、前記映像音声コンテンツの一部を前記高速記録媒体に格納し、それ以外の部分を前記低速記録媒体に格納し、
既存チャプタを含む領域のデータ実体が削除される場合は、前記データ実体の後ろに隣接した領域の先頭に追加チャプタを付与し、前記追加チャプタの付与された位置から一定の長さの領域に含まれる前記高速記録メディアに記録されたデータを前記低速記録メディアに移動することを特徴とする情報記録再生装置。
【発明の詳細な説明】
【技術分野】
【０００１】
本発明は、情報記録再生装置に係り、特に複数の記録媒体に情報を記録再生する情報記録再生装置に関する。
【背景技術】
【０００２】
大量のデータを多数のクライアントからのアクセス要求に応じて適切に読み書きするサーバ用ストレージは、信頼性とともに運用コストの低減が課題となっている。特に、高速なＨＤＤを用いたデータセンターのストレージシステムは、消費電力量が膨大であり、地球環境のエコの観点からも課題が大きい。これらの課題に有効な手段として、ＩＬＭ(Ｉｎｆｏｒｍａｔｉｏｎ Ｌｉｆｅｃｙｃｌｅ Ｍａｎａｇｅｍｅｎｔ)と呼ばれる技術がある。ＩＬＭは、特性の異なる複数の記録媒体を組み合わせたストレージシステムであり、ユーザのデータアクセス頻度に応じて格納先の記録媒体を選択することで、運用コストの低減を目指した技術である。組み合わせる記録媒体としては、アクセス速度が高速であるがコストがかかるものと、アクセス速度が低速であるがコストが低いものを組み合わせることが一般的である。例えば、前者としては、複数台のＨＤＤを並列に処理させることによりアクセス速度を向上させたRAIDシステムなどが考えられる。また、後者としては、ＣＤやＤＶＤのように記録可能な光ディスクや磁気テープなどが考えられる。ＩＬＭにおいては、アクセス頻度が低いデータは、アクセス速度が低い記録媒体に格納され、アクセス頻度が高いデータは、アクセス速度が高い記録媒体に格納することで、システムのデータ転送効率をキープしつつ、全体のコストを下げることができる効果が期待されている。
【０００３】
ＩＬＭの課題としては、アクセス速度が低い記録媒体に格納されたデータにアクセスする際に、待ち時間が生じるという点が上げられる。この課題に対しては、ある１つのコンテンツの先頭部分のデータやチャプタ部分のデータをアクセス速度が高い記録媒体に格納し、残りの部分をアクセス速度が低い記録媒体に格納する方法が提案されている。（特許文献１、特許文献２、特許文献３）
これにより、コンテンツ再生要求があると、まず先頭部分を高速媒体からすばやく読み出すことでユーザの待ち時間を軽減し、かつ、先頭部分を再生している間に低速メディアへのアクセスを先行して行うことで先頭部分から連続的に再生することができる。
【先行技術文献】
【特許文献】
【０００４】
【特許文献１】特開２００７―１９３８６４
【特許文献２】特表２００７―５２５７５３
【特許文献３】特開２００７―０１２１３２
【発明の概要】
【発明が解決しようとする課題】
【０００５】
しかし、これらの方法では、チャプタの追加や削除といった編集を行った場合に、期待する効果が得られなくなるという課題がある。
【課題を解決するための手段】
【０００６】
本発明は、転送速度が高い高速記録媒体と転送速度が低い低速記録媒体を組み合わせた複合記録媒体を備え、ひとつのコンテンツを前記複合記録媒体に記録する際に、前記コンテンツにチャプタ情報が付与されている場合は、チャプタが付与された位置から一定の長さの領域を、前記高速記録媒体に格納する情報記録再生装置であって、新規チャプタがさらに追加される場合は、前記低速記録媒体から前記高速記録媒体へ、一定の長さの領域を移動させることを特徴とする。
【０００７】
また本発明は、前記新規チャプタが既存チャプタに近い位置であれば、既存のチャプタが付与された位置から一定の長さの領域に対して、連続する領域として、ある長さの領域が前記高速記録媒体に移動されることを特徴とする。
【０００８】
また本発明は、既存チャプタが削除される場合は、前記高速記録媒体から前記低速記録媒体へ、一定の長さの領域を移動させることを特徴とする。
【０００９】
また本発明は、前記既存チャプタが別の既存チャプタに近い位置であれば、別の既存チャプタが付与された位置から一定の長さの領域が前記高速記録媒体に残るように、前記高速記録媒体から前記低速記録媒体へ、ある長さの領域を移動させることを特徴とする。
【００１０】
また本発明は、前記高速記録媒体に格納されたコンテンツの一部と、前記低速記録媒体に格納されたコンテンツの一部が、ひとつのファイルを構成することを特徴とする。
【００１１】
また本発明は、前記高速記録媒体に格納されたコンテンツの一部がファイルＡを構成し、前記低速記録媒体に格納されたコンテンツの一部がファイルＢを構成し、前記ファイルＡと前記ファイルＢが異なるファイルであり、ファイルＡとファイルＢの再生順序を規定するプレイリストファイルを持つことを特徴とする。
【発明の効果】
【００１２】
本発明によれば、コンテンツの再生を適切に行うことができ、ユーザの使い勝手を向上させることができる。
【図面の簡単な説明】
【００１３】
【図１】情報記録再生装置の構成と外部機器との接続を示した図である。
【図２】複数記録媒体への振り分けの一例を示した図である。
【図３】記録時の処理フローである。
【図４】記録先のコンテンツデータのファイル管理情報を示した図である。
【図５】記録先のコンテンツデータの記録媒体上のアロケーションを示した図その１である。
【図６】コンテンツデータ構成図である。
【図７】記録先のコンテンツデータのファイル管理情報を示した図である。
【図８】記録先のコンテンツデータの記録媒体上のアロケーションを示した図その２である。
【図９】記録先のコンテンツデータの記録媒体上のアロケーションを示した図その３である。
【図１０】管理データとチャプタリストの構成およびオフセットを説明した図である。
【図１１】記録時の処理フローその２である。
【図１２】複数記録媒体への振り分けの一例を示した図その２である。
【図１３】複数記録媒体への振り分けの一例を示した図その３である。
【図１４】複数記録媒体への振り分けの一例を示した図その４である。
【図１５】複数記録媒体への振り分けの一例を示した図その５である。
【発明を実施するための形態】
【００１４】
以下、本発明の情報記録再生装置の実施例について図面を用いて詳細に説明する。
【実施例１】
【００１５】
図１は、本発明の第１の実施例の情報記録再生装置の構成と外部機器との接続を示した図である。
【００１６】
１００は、二つの記録媒体を内蔵した、情報記録再生装置である。
【００１７】
１０１は、外部機器９９９とデータ入出力を行う、Ｉ／Ｆである。例えば、ＵＳＢ（Ｕｎｉｖｅｒｓａｌ Ｓｅｒｉａｌ Ｂｕｓ）やＳＡＴＡ（Ｓｅｒｉａｌ ＡＴＡ）などが使用できる。また、ＬＡＮ（Ｌｏｃａｌ Ａｒｅａ Ｎｅｔｗｏｒｋ）に接続するネットワークＩ／Ｆでもよい。
【００１８】
１０２は、ＨＤＤ１０４に記録するコンテンツおよびドライブ１０５が記録媒体１０６に記録するコンテンツを、一時的に格納しておくメモリである。例えば、ＳＤ−ＲＡＭを使用することができる。その他に、記録装置に内蔵されたＨＤＤ１０４の一部を利用することもできる。
【００１９】
１０４は、コンテンツを記録する、高速記録媒体である。例えば、金属製の円盤に磁性体を塗布したＨＤＤ（Ｈａｒｄ Ｄｉｓｃ Ｄｒｉｖｅ）使用することができる。その他に、ＨＤＤに著作権保護回路を追加実装したｉＶＤＲ、ＨＤＤを複数台並列に接続し、データを分散して記録再生するＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）や、ＦＬＡＳＨメモリを記録媒体としＩ／ＦにＳＡＴＡなどを持つＳＳＤ（Ｓｏｌｉｄ Ｓｔａｔｅ Ｄｒｉｖｅ）などを使用することができる。
【００２０】
１０５は、低速記録媒体１０６にコンテンツを記録し再生する、ドライブである。例えば、光ディスクドライブ（ＯＤＤ、Ｏｐｔｉｃａｌ Ｄｉｓｃ Ｄｒｉｖｅ）を使用することができる。光ディスクの種別としては、例えば、ＢＤ−ＲＥに記録再生可能なＢＤドライブを使用することができる。
【００２１】
１０６は、コンテンツを記録する、低速記録媒体である。例えば、Ｂｌｕ−ｒａｙ Ｄｉｓｃのうち、書き換え可能なＢＤ−ＲＥなどのような光ディスクを使用できる。
【００２２】
１０１は、Ｉ／Ｆ１０３を介してコンテンツを入出力する処理を制御し、入力したコンテンツをメモリ１０２を経由してＨＤＤ１０４に記録するよう制御し、また光ディスク１０６に記録するようドライブ１０５を制御する、ＣＰＵである。ＣＰＵはＨＤＤ１０４とＯＤＤ１０５への記録データ振り分け処理を実行する。ＣＰＵがメモリ１０２を内蔵する構成も考えられる。また、その他の部分も含めて集積回路化した、ＳｏＣ（Ｓｙｓｔｅｍ ｏｎ Ｃｈｉｐ）も考えられる。
【００２３】
９９９は、情報記録再生装置１００にコンテンツデータおよびその付随データを入出力する外部機器である。インターネットなどを介したクラウドサービスである場合も考えられる。コンテンツとしては、デジタルチューナが受信したデジタル放送データや、ＢＤ−ＲＯＭやＳＤカードなどの記録媒体上に記録されたコンテンツ、デジタルビデオカメラやデジタルスチルカメラで撮影した映像音声データなどが考えられる。付随データとしては、デジタル放送の一部として送られてくるデータ放送やＥＰＧ情報、コンテンツを解析して得られるダイジェスト情報（例えば、サッカー試合中継でのゴールシーンの分布データ）、記録媒体に記録されたプレイリスト情報やチャプタ情報、カメラで撮影する際に取得される顔認識情報やＥＰＧ情報、カメラ情報（例えば、絞り値、シャッター速度）などが考えられる。
【００２４】
図２は、本発明の第１の実施例の複数記録媒体への振り分けの一例を示した図である。
【００２５】
２０１は、コンテンツであり、左端がコンテンツの先頭、右端がコンテンツの終端を示している。
【００２６】
２１１は、コンテンツ先頭につけられた、チャプタである。
【００２７】
２１２は、コンテンツ途中につけられた、チャプタである。
【００２８】
２１３は、チャプタ２１２よりも後ろにつけられた、時間軸上ではチャプタ２１２よりも新しい位置にあるチャプタである。
【００２９】
ここで、３つのチャプタ２１１、２１２、２１３は、おのおの十分離れた位置にある場合を考える。
【００３０】
２３１は、チャプタ２１１の位置を始点としたある一定の長さの範囲を示している。
【００３１】
２３２は、チャプタ２１２の位置を始点としたある一定の長さの範囲を示している。
【００３２】
２３２は、チャプタ２１３の位置を始点としたある一定の長さの範囲を示している。
【００３３】
ここで、範囲２３１、２３２、２３３は、同じ長さである。
【００３４】
この長さは、ＯＤＤ１０５のアクセス性能（例えば、スピンアップ時間やシーク時間）や光ディスク１０６のデータ転送速度などにより決定される。ＯＤＤ１０５が光ディスク１０６からデータを読み出す速度が低速であるほど、範囲２３１、２３２、２３３の長さはより長くする必要がある。
【００３５】
ただし、一般にＨＤＤ１０４のほうが、光ディスク１０６に比べて、ビット単価が高く高コストであるため、むやみに長くすると、システム全体のコストを引き上げてしまう問題があるので、できるだけ短くすることが望ましく、記録媒体の性能に応じて必要最低限の長さを決めることでコストの最小化を実現できる。
【００３６】
光ディスク１０６のどの位置から読み出すかにより、シーク時間が異なるが、最悪値であるフルストロークの場合のシーク時間を考慮しておけば、すべての場合に対応が可能となる。
【００３７】
一方、光ディスク１０６のデータ転送速度は、2倍速、4倍速、8倍速、などのように、規格で定められた値の転送速度を保障されていることが、一般的である。よって、ディスクごとの転送速度に応じて、例えば4倍速の光ディスクであれば、1倍速の光ディスクの４分の１の長さで十分であるというように、範囲２３１、２３２、２３３の長さを決定することができる。
【００３８】
範囲２３１、２３２、２３３の長さが十分長ければ、低速媒体である光ディスク１０６に記録した部分のコンテンツも、シームレスに再生が可能となる。
なお、範囲２３１、２３２、２３３の長さは、データサイズ（例：バイト単位）が同じという定義としても問題ないが、可変ビットレートでエンコードされたストリームである場合を考慮すると、時間が同じと定義するほうが望ましい。例えば、高ビットレートでエンコードされたシーンの場合、同じ時間であってもより多くのデータ量の範囲を割り当てておく必要があるためである。
【００３９】
以上のように、１つのコンテンツ２０１に３つのチャプタ２１１、２１２、２１３が付加されたとき、このコンテンツ２０１のどの部分をＨＤＤ１０４に記録し、どの部分を光ディスク１０６に記録するか、を割り振る処理を、以下説明する。
【００４０】
２２１は、コンテンツ２０１の先頭のチャプタ２１１から、範囲２３１に相当するエクステントである。
【００４１】
２２３は、コンテンツ２０１の途中にあるチャプタ２１２から、範囲２３２に相当するエクステントである。
【００４２】
２２５は、コンテンツ２０１の途中にあるチャプタ２１３から、範囲２３３に相当するエクステントである。
【００４３】
２２２は、エクステント２２１とエクステント２２３の間に相当するエクステントである。
【００４４】
２２４は、エクステント２２３とエクステント２２５の間に相当するエクステントである。
【００４５】
２２６は、エクステント２２５の末尾からコンテンツ２０１の末尾までの間に相当するエクステントである。
【００４６】
このように、コンテンツ２０１を６つのエクステントに分割し、そのうちのエクステント２２１、２２３、２２５をＨＤＤ１０４に記録し、エクステント２２２、２２４、２２６をＯＤＤ１０５により光ディスク１０６に記録する。
【００４７】
このように割り振って記録することで、ユーザがコンテンツ２０１を再生する際に、出画するまでの待ち時間が発生する可能性が高いチャプタ位置のデータを高速媒体に配置することができ、待ち時間を低減できるという効果がある。
【００４８】
かつ、低速媒体であるＯＤＤ１０５と光ディスク１０６のデータ転送性能を考慮したうえで、必要最低限のデータのみをＨＤＤ１０４に格納することで、ＨＤＤ１０５の消費データ量を削減でき、高価（高コスト）なＨＤＤの使用比率を下げることができ、全体のコスト低減の効果がある。
【００４９】
図３は、本発明の第１の実施例の記録処理のフローを示した図である。
【００５０】
まず、図２を用いた説明で示したように、どの部分のデータをどの記録媒体に記録するか、という記録媒体毎の記録データの一覧（記録媒体別リスト）を、記録するコンテンツ全体に対して作成する。（Ｓ３００）
記録媒体別リストは、記録するエクステントの先頭位置と長さをペアにしたレコードを、記録するエクステントの数だけ並べたリストであり、レコード毎に記録先の記録媒体の別を示す。記録するエクステントの先頭位置は、コンテンツ先頭からのオフセット（時間オフセット、あるいはバイトオフセット）で示し、記録するエクステントの長さは、時間あるいはバイト単位で示す。
【００５１】
エクステントの先頭位置と長さを、時間単位で示す場合の効果は、リスト作成時にビットレートを加味した変換処理が不要になるというメリットであり、バイト単位で示す場合の効果は、記録媒体への記録時にシーク量やリードライト量を変換する処理が不要になるというメリットである。
【００５２】
以下、Ｓ３００で作成したリストを元に、記録処理を行う。
【００５３】
記録前に、記録するレコードのデータ量に対して、記録媒体の残量が十分残っているか確認する。（Ｓ３０１）
最初に光ディスク１０６の残量を確認する。（Ｓ３１１）
光ディスク１０６に記録する残レコードのデータ量総量に対して、残量が十分残っている場合は、ＨＤＤ１０４の残量を確認する。（Ｓ３１２）
さもなければ、エラー処理を行う。（Ｓ３１３）
ＨＤＤ１０４に記録する残レコードのデータ量総量に対して、残量が十分残っている場合は、残量確認を終了し次のステップへ進む。
【００５４】
さもなければ、エラー処理を行う。（Ｓ３１３）
記録媒体の残量が十分残っている場合は、リストに従って記録媒体を選択し、１レコードだけを記録する。（Ｓ３０２）
リストを参照し、記録するレコードの記録先がＨＤＤ１０４かどうか確認する。（Ｓ３２１）
記録先がＨＤＤ１０４でなければ、ＯＤＤ１０５により光ディスク１０６に記録する。（Ｓ３２２）
記録先がＨＤＤ１０４であれば、ＨＤＤ１０４に記録する。（Ｓ３２３）
エクステントの記録が終わると、管理情報を更新する。（Ｓ３０３）
管理情報としては、記録先のコンテンツデータファイルのエクステントのアロケーション情報（先頭アドレスや長さ）や、ファイル長などが考えられる。
管理情報更新が終わると、リストを参照し、未記録レコードが残っているか確認する。（Ｓ３０４）
もし残っていれば、Ｓ３０１から記録処理を行う。
【００５５】
もし残っていなければ、記録処理を終了する
このように、リストに従ってすべてのレコードを順番に記録することで、所望の割り振りを行うことができる。
【００５６】
図４は、本発明の第１の実施例の記録先のコンテンツデータのファイル管理情報を示した図である。
【００５７】
４０１は、親ディレクトリである。
【００５８】
４０２は、記録したコンテンツを格納する子ディレクトリである。
【００５９】
４０３は、記録したコンテンツに付随する管理データファイルである。
【００６０】
４０４は、記録したコンテンツに付随するチャプタデータファイルである。
【００６１】
４０５は、記録したコンテンツファイルである。
【００６２】
４０６から４１７は、記録したコンテンツファイル４０５を構成するエクステントのアロケーション情報である。図２での説明と同様に、先頭とチャプタ１、チャプタ２、さらに、ＣＭ明けの位置にチャプタがついているコンテンツを示している。
【００６３】
コンテンツファイル４０５は、２つの記録媒体に交互にエクステントを記録した構成のファイルである。
【００６４】
図５は、本発明の第１の実施例の記録先のコンテンツデータの記録媒体上のアロケーションを示した図である。
【００６５】
４１０、４１２、４１４、４１６はＨＤＤ１０４に記録されたエクステントであり、
４１１、４１３、４１５、４１７は光ディスク１０６に記録されたエクステントである。
【００６６】
５０１、５０２、５０３、５０４は、それぞれ、エクステント４１０、４１２、４１４、４１６の先頭の論理アドレスである。
【００６７】
５１１、５１２、５１３、５１４は、それぞれ、エクステント４１１、４１３、４１５、４１７の先頭の論理アドレスである。
【００６８】
例えば、ユーザがコンテンツの先頭から再生する指示を出した場合は、ＨＤＤ１０４上の論理アドレス５０１にシークし、先頭データ４１０を再生開始する。先頭データ４１０はいったんメモリ１０２に格納される。
【００６９】
先頭データ４１０を再生開始すると、次に、光ディスク１０６上の論理アドレス５１１にシークし、中間データ１ ４１１を再生開始する。中間データ１ ４１１は、メモリ１０２上に格納された先頭データ４１０に引き続き、メモリ１０２にいったん格納される。
【００７０】
以下、４１２、４１３、４１４、４１５、４１６、４１７の順に、再生される。
【００７１】
一方、ユーザがコンテンツの途中のチャプタ１から再生する指示を出した場合は、ＨＤＤ１０４上の論理アドレス５０２にシークし、チャプタ１ ４１２を再生開始する。
【００７２】
チャプタ１ ４１２を再生開始すると、次に、光ディスク１０６上の論理アドレス５１２にシークし、中間データ２ ４１３を再生開始する。
以下、４１４、４１５、４１６、４１７の順に、再生される。
また、ユーザがチャプタ２から再生開始を指示した場合や、ＣＭ明けの位置にジャンプして再生開始する場合も、同様に、ＨＤＤ１０４上のデータから再生される。
【００７３】
よって、いずれのケースでも最初は高速媒体から再生開始するので、再生開始までのユーザの待ち時間を軽減できる効果がある。
【実施例２】
【００７４】
図６は、本発明の第２の実施例のコンテンツデータ構成を示した図である。
また、図７は、本発明の第２の実施例の記録先のコンテンツデータのファイル管理情報を示した図である。
【００７５】
また、図８は、本発明の第２の実施例の記録先のコンテンツデータの記録媒体上のアロケーションを示した図である。
【００７６】
なお、本発明の第１の実施例との共通部分は、説明を割愛する。例えば、図１、図２、図３で示した、構成および割り振りおよび記録処理フローは、共通であるため、割愛する。
【００７７】
本発明の第２の実施例は、第１の実施例と共通する点が多いが、相違点は、記録先のコンテンツデータが複数のファイルで構成され、それらのコンテンツファイルがプレイリストファイルで管理され点である。
【００７８】
図４と図７の相違点は、プレイリストファイル６０１が追加されている点と、コンテンツデータファイル４０５の代わりに、６１０から６１７までの８つのコンテンツファイルで構成されている点である。
【００７９】
コンテンツファイル６１０から６１７のデータは、エクステント４１０から４１７のデータと、それぞれ同一である。
【００８０】
また、図８に示すように、コンテンツファイル６１０から６１７のアロケーションは、エクステント４１０から４１７のそれと、同一である。
図６に示すように、６１０から６１７までの８つのコンテンツファイルの再生順番は、プレイリストファイル６０１で定義される。つまり、プレイリストファイル６０１に記述されたファイル名の順に、０００００．ｍ２ｔｓ（先頭データ）、００００１．ｍ２ｔｓ（中間データ１）、００００２．ｍ２ｔｓ（チャプタ１）、００００３．ｍ２ｔｓ（中間データ２）、００００４．ｍ２ｔｓ（チャプタ２）、００００５．ｍ２ｔｓ（中間データ３）、００００６．ｍ２ｔｓ（ＣＭ明け１）、００００７．ｍ２ｔｓ（中間データ４）と、再生される。
【００８１】
また、プレイリストファイル６０１には、再生するコンテンツデータのファイル名ごとに、シームレス再生フラグが付与される。このフラグの値が１であれば、次のコンテンツファイルとの間ではシームレスに再生することが可能であることを示す。このフラグの値が０であれば、シームレス再生が保障されていないことを示す。図６に示すように、本発明の場合は、もともとシームレスであったコンテンツデータを分割したため、シームレス再生フラグは１を設定する。ただし、再生順番の末尾のファイル（中間データ４）のシームレス再生フラグは、次に再生すべきコンテンツファイルが存在しないので、０となる。
【００８２】
以上のように、本発明の第２の実施例の構成でも、第２の実施例と同等の効果を得ることができる。
【００８３】
また、シームレス再生フラグを備えることで、もともと連続性がないファイルなのか、もともと連続しているファイルなのかを、明確に区別でき、コンテンツに含まれる圧縮ストリームファイル（例：ＭＰＥＧ、Ｈ．２６４など）を読み出した後にデコード処理を行う際に、デコーダをリセットするべきか否かを判定することが可能になるという効果がある。
【実施例３】
【００８４】
図９は、本発明の第３の実施例の記録先のコンテンツデータの記録媒体上のアロケーションを示した図である。
【００８５】
図１０は、本発明の第３の実施例の管理データとチャプタリストの構成およびオフセットを説明した図である。
【００８６】
なお、本発明の第１および第２の実施例との共通部分は、説明を割愛する。例えば、図１、図２で示した、構成および割り振りは、共通であるため、割愛する。図６、あるいは図７で示した、コンテンツデータ構成あるいはコンテンツデータのファイル管理情報は、共通であるため、割愛する。
【００８７】
本発明の第3の実施例は、再生レジューム点からの再生の待ち時間を短縮する効果を狙った実施例である。
【００８８】
図９に示すように、コンテンツの最後のエクステント４１７を再生中に、再生を終了し、最後に再生した位置をレジューム点として、保持しておく場合、次の再生で最初に読み出すデータはレジューム点から開始するデータ、すなわち光ディスク１０６上のデータになる。この場合光ディスク１０６のアクセス速度はＨＤＤ１０４よりも低速であるため、出画開始までの待ち時間が大きくなってしまう。この課題を解決するために、レジューム点から始まるコンテンツデータを、高速デバイスであるＨＤＤ１０４に移しておく。つまり、再生終了したとき、レジューム点を設定されたら、その位置をチャプタと同様に扱い、もしレジューム点が低速媒体上にあれば、レジューム点以降のある長さの領域を、高速デバイスであるＨＤＤ１０４上に移動させる。その際、エクステント４１７から、エクステント４１７の末尾を含む部分が削除され、残りの部分が、より短いエクステント４１７’として残される。同時に、削除された部分が、エクステント１０８としてＨＤＤ１０４上に移動され、記録される。
エクステントの変更が完了すると、管理情報を更新する。管理情報は、コンテンツファイルのアロケーション情報を変更して、エクステント４１７の長さを短くし、末尾にエクステント４１８を追加する、という変更が加わる。コンテンツファイルとしての全体の長さは変更されない。
【００８９】
図９では、低速媒体である光ディスク１０６上にレジューム点が設定された場合を説明したが、別の例として、高速媒体であるＨＤＤ１０４上にレジューム点が設定される場合も考えられるが、この場合もレジューム点をチャプタと同等に扱い、レジューム点からある長さの範囲がＨＤＤ１０４上に存在するように、光ディスク１０６からエクステントの一部のデータを移動する。データの移動に伴い管理情報も更新する。つまり、追加したレジューム点が含まれるエクステントの長さを、光ディスク１０６から移動したデータ分だけ長くし、データが移動して短くなった光ディスク１０６上のエクステントの長さを、移動したデータ分だけ短くし、先頭位置を移動したデータ分だけ後ろにずらす。
【００９０】
図１０において、１００１はコンテンツの合計再生時間、１００２は例えばＨ．２６４やＭＰＥＧ−ＴＳといった、コンテンツの映像フォーマット、１００３は例えばＬＰＣＭやドルビーデジタルといった、コンテンツの音声フォーマット、１００４はコンテンツの平均ビットレート、１００５はコンテンツの再生再開位置を示すレジューム点、１００６はコンテンツの特徴的な位置を格納した特徴点リスト、１０１１は特徴点リストの1つ目のデータ、１０１２は特徴点リストの２つ目のデータである。
【００９１】
１０２１はチャプタの位置を示す１つ目のデータ、１０２２はチャプタの位置を示す２つ目のデータである。
【００９２】
１０３１は横軸にコンテンツ先頭からの再生位置をとった模式図である。１０４１はコンテンツ先頭のチャプタ１の位置、１０４２は１つ目の特徴点１の位置、１０４３は２つ目のチャプタ２の位置、１０４４は２つ目の特徴点２の位置を示す。
【００９３】
１０５１は特徴点１のコンテンツ先頭からのオフセット値、１０５２はチャプタ２のコンテンツ先頭からのオフセット値、１０５３は特徴点２のコンテンツ先頭からのオフセット値を示す。
【００９４】
このとき、特徴点１ １０１１のオフセット１には、オフセット値１０５１が格納され、特徴点２ １０１２のオフセット２には、オフセット値１０５３が格納される。また、チャプタ１ １０２１のオフセット１には０が格納され、チャプタ２ １０２２のオフセット２にはオフセット値１０５２が格納される。
【００９５】
ここで、オフセット値１０５１、１０５２、１０５２は、コンテンツ先頭からの再生時間を秒単位で表現した値でもよいし、リファレンスクロックのカウンタ値でもよいし、コンテンツ先頭からのバイト数でもよい。
【００９６】
特徴点としては、さまざまな切り口で特徴と定義できるが、例えば、顔認識技術により顔が撮影されていると判定したところを、特徴点とすることができる。また、サッカーなどのスポーツ中継では、ゴールシーンなどのように観客の歓声などが盛り上がっているところを、特徴点とすることもできる。あるいは、ＣＭ明けを特徴点とすることもできる。さらに、再生中にユーザがリモコンのボタンを押すなどして、ユーザからの入力に応じて特徴点を追加することもできる。
【実施例４】
【００９７】
コンテンツの記録中に、特徴点がリアルタイムで生成し追記されるような場合の、記録処理を、次の実施例４で説明する。
【００９８】
なお、本発明の第１の実施例との共通部分は、説明を割愛する。例えば、図１、図２で示した、構成および割り振りは、共通であるため、割愛する。
【００９９】
図１１は、本発明の第４の実施例の記録処理のフローを示した図である。
記録が開始すると、記録するレコードのデータ量に対して、記録媒体の残量が十分残っているか確認する。（Ｓ３０１）
残量確認後、ＯＤＤ１０４とＨＤＤ１０５のいずれに記録するかを選択する。（Ｓ１１０２）
記録する媒体を選択して記録した後、管理情報を更新する。（Ｓ３０３）
管理情報の更新後、さらに記録要求があるかどうか確認し、あれば上記処理を繰り返す。なければ、終了する。（Ｓ１１０４）
記録媒体選択ステップＳ１１０２においては、まず記録するレコードが特徴点を含むかどうか判定する。（Ｓ１１２１）
特徴点を含まないと判定されれば、低速媒体であるＯＤＤ１０５に記録し（Ｓ３２２）、記録媒体選択ステップを終了する。
【０１００】
特徴点を含むと判定されれば、高速媒体であるＨＤＤ１０４に記録し（Ｓ３２３）、記録媒体選択ステップを終了する。
【０１０１】
以上の処理により、レコード単位で特徴点を登録しつつ、記録を行うことができる。
【０１０２】
この処理は、例えば、スポーツ中継の放送録画中にレコーダでストリーム解析を行い、観客の歓声の盛り上がりを音量から検出したり、ゴールカウントを示すＯＳＤ表示やアニメーション表示から文字認識してゴールシーンを検出したりすることによって、長時間のスポーツ中継の中で、盛り上がっているシーンのみを抽出する、いわゆるダイジェスト機能に適用できる。
【０１０３】
録画したスポーツ中継を短時間で視聴できるように、ダイジェスト機能を用いて再生する場合、特徴点リスト１００６に従って順次再生する。上記の記録処理によって特徴点はすべてＨＤＤ１０４上に記録されているので、特徴点にジャンプする間の待ち時間は短縮されており、高速な視聴が可能となるという効果が得られる。
【実施例５】
【０１０４】
次に、本発明の実施例５として、コンテンツ記録後の編集処理により、チャプタが追加あるいは削除される場合を説明する。
【０１０５】
図１２は、チャプタ追加後の複数記録媒体への振り分けの一例を示した図である。
【０１０６】
チャプタを追加する場合に、図２における、全体の先頭２２１やチャプタ１先頭２２３やチャプタ２先頭２２５の領域に重複するように、チャプタの位置を始点としたある一定の長さの範囲が割り振られるような場合は、図１２に示すように、追加されたチャプタ１２１４の位置を始点としたある一定の長さの範囲１２３４が、範囲２３３と重複しており、範囲１２３４と範囲２３３をあわせた範囲１２３５に相当するチャプタ先頭２２５’がＨＤＤ１０４に記録されるように、光ディスク１０６からＨＤＤ１０４にデータを移動させることで、実現できる。
【０１０７】
逆に、図１２におけるチャプタ１２１４を削除する場合、図１２から図２の状態へ遷移させればよい。この場合、範囲２３３がＨＤＤ１０４に残るように、範囲１２３５と範囲２３３との差分だけを、光ディスク１０６へ移動することで、実現できる。
【０１０８】
図１３は、チャプタ削除後の複数記録媒体への振り分けの一例を示した図である。
【０１０９】
例えば、図２における、チャプタ２１２を削除する場合、チャプタ１先頭２２３の領域を、ＨＤＤ１０４から光ディスク１０６に移動させればよい。
チャプタ１先頭２２３は、移動後は、中間データ４ ２２３’として光ディスク１０６上に存在する。
【０１１０】
図１４は、コンテンツ先頭を含む領域の削除に伴うチャプタ移動時の複数記録媒体への振り分けの一例を示した図である。
【０１１１】
図２における先頭部分が削除される場合は、削除前には２１１の位置にあった先頭位置が２１１’に移動し、それに伴い範囲２３１が範囲２３１’に移動するようにすればよい。その際、削除前の先頭位置２１１と削除後の先頭位置２１１’との差分に相当するデータ量に等しい領域１４０２を、光ディスク１０６からＨＤＤ１４０１に移動させることで、実現できる。
【０１１２】
図１５は、チャプタ追加後の複数記録媒体への振り分けの一例を示した図である。
【０１１３】
チャプタを追加する場合に、図２における、全体の先頭２２１やチャプタ１先頭２２３やチャプタ２先頭２２５の領域に重複しないように、チャプタの位置を始点としたある一定の長さの範囲が割り振られるような場合は、図１５に示すように、追加されたチャプタ１５５１の位置を始点としたある一定の長さの範囲１５３１に相当する、チャプタ３先頭１５２１を、光ディスク１０６からＨＤＤ１０４に移動させることで、実現できる。
【０１１４】
なお、以上に述べたような、特徴点やチャプタの追加、削除により、コンテンツの再生順番が変わることはなく、コンテンツの物理的なアロケーションが変わるのみである。物理的なアロケーションの変更を、コンテンツの再生順番に影響させないための仕組みとして、ファイルシステムやプレイリストを活用できることは、すでに説明したとおりである。
【０１１５】
以上、本発明の好適な実施例を説明した。
【０１１６】
この情報記録再生装置を用いれば、ひとつのコンテンツをひとつのファイルとして取り扱う簡便さと、コンテンツ表示までの待ち時間短縮を両立させることが可能となる。また、この情報記録再生装置を用いれば、広く一般に普及しユーザになじみの深いプレイリストによる多彩な再生方法の編集と、コンテンツ表示までの待ち時間短縮を両立させることが可能となる。
【０１１７】
本発明によれば、複数の記録媒体を組み合わせた情報記録再生装置で、ユーザの再生要求に対して待ち時間を発生させること無く迅速に再生開始できる。
【０１１８】
この発明によれば、ユーザがチャプタを指定してコンテンツを再生する際に、コンテンツが表示されるまでの待ち時間を低減できるという効果がある。かつ、低速媒体であるＯＤＤと光ディスクのデータ転送性能を考慮したうえで、必要最低限のデータのみをＨＤＤに格納することで、ＨＤＤの消費データ量を削減でき、高価（高コスト）なＨＤＤの使用比率を下げることができ、全体のコスト低減の効果がある。
【０１１９】
さらに、コンテンツをひとつのファイルとして扱う場合でも、プレイリストで管理する場合でも、同様の効果を得ることができる。
【符号の説明】
【０１２０】
１００  情報記録再生装置
１０１  ＣＰＵ
１０２  メモリ
１０３  Ｉ／Ｆ
１０４  ＨＤＤ
１０５  ＯＤＤ
１０６  光ディスク
９９９  外部機器
【図１】
2011138574.tif 000003
【図２】
2011138574.tif 000004
【図３】
2011138574.tif 000005
【図４】
2011138574.tif 000006
【図５】
2011138574.tif 000007
【図６】
2011138574.tif 000008
【図７】
2011138574.tif 000009
【図８】
2011138574.tif 000010
【図９】
2011138574.tif 000011
【図１０】
2011138574.tif 000012
【図１１】
2011138574.tif 000013
【図１２】
2011138574.tif 000014
【図１３】
2011138574.tif 000015
【図１４】
2011138574.tif 000016
【図１５】
2011138574.tif 000017